(57)【要約】【課題】  入賞装置に設けられた大入賞具における開閉扉の作動を制御する。【解決手段】  パチンコ機ＰＭが、遊技盤２０と、遊技盤２０上を落下する遊技球を受容可能な始動入賞具５０および左右の大入賞具６０，７０からなる入賞装置４０とを備え、左右の大入賞具６０，７０が、始動入賞具５０に入賞したことを条件に実行される図柄抽選手段Ｂ７３による抽選に当選した場合に入賞装置制御手段Ｂ７７により左大入賞具６０の開閉扉６１および右入賞具７０の右開閉扉７１を開放位置へ変位させて特別遊技を実行するよう構成され、入賞装置制御手段Ｂ７７が左開閉扉６１および右開閉扉６２の開閉部材の開閉動作を独立して制御することにより、左大入賞具６０が所定の時間特別遊技を実行する第１の特別遊技と、右大入賞具７０が所定の時間特別遊技を実行する第２の特別遊技とが、図柄抽選手段Ｂ７３による当選毎に選択的に実行される。【選択図】  図４
2006075187.tif 000002
【特許請求の範囲】
【請求項１】
遊技盤と、前記遊技盤の前面に取り付けられ前記遊技盤上を落下する遊技球を受容可能な入賞装置と、遊技球を前記入賞装置に入賞させる特別遊技を実行するか否かの抽選を行う抽選手段と、前記抽選手段による抽選の結果に基いて前記入賞装置の作動を制御する入賞装置制御手段とを有する弾球遊技機において、
前記遊技盤に通常入賞用開口および特別入賞用開口が形成され、
前記入賞装置が、前記通常入賞用開口に取り付けられ前記遊技盤の上方に向けて開口し遊技球を受容して前記通常入賞用開口内へと誘導する受容部材と前記通常入賞用開口内に設けられ遊技球の通過を検出する通常入賞用検出手段とからなる通常入賞具と、
前記特別入賞用開口に取り付けられ直立した状態で前記特別入賞用開口を閉鎖する閉鎖位置と前記遊技盤に対して上端が前方に傾斜した状態で遊技球を受容して前記特別入賞用開口内へと誘導する開放位置との間で変位可能な開閉部材と前記特別入賞用開口内に設けられ遊技球の通過を検出する特別入賞用検出手段とからなり、前記通常入賞具を挟んで左右両側に配設された第１の特別入賞具および第２の特別入賞具とを有し、
前記第１および第２の特別入賞具が、前記通常入賞具に入賞したことを条件に実行される前記抽選手段による抽選に当選した場合に前記入賞装置制御手段により前記第１の特別入賞具の第１の前記開閉部材および前記第２の特別入賞具の第２の前記開閉部材を前記開放位置へ変位させて前記特別遊技を実行するよう構成され、
前記入賞装置制御手段が前記第１および第２の開閉部材の開閉動作を同期するように制御することにより、前記第１および第２の特別入賞具が前記抽選手段による当選毎に所定の時間同時に前記特別遊技を実行することを特徴とする弾球遊技機。
【請求項２】
遊技盤と、前記遊技盤の前面に取り付けられ前記遊技盤上を落下する遊技球を受容可能な入賞装置と、遊技球を前記入賞装置に入賞させる特別遊技を実行するか否かの抽選を行う抽選手段と、前記抽選手段による抽選の結果に基いて前記入賞装置の作動を制御する入賞装置制御手段とを有する弾球遊技機において、
前記遊技盤に通常入賞用開口および特別入賞用開口が形成され、
前記入賞装置が、前記通常入賞用開口に取り付けられ前記遊技盤の上方に向けて開口し遊技球を受容して前記通常入賞用開口内へと誘導する受容部材と前記通常入賞用開口内に設けられ遊技球の通過を検出する通常入賞用検出手段とからなる通常入賞具と、
前記特別入賞用開口に取り付けられ直立した状態で前記特別入賞用開口を閉鎖する閉鎖位置と前記遊技盤に対して上端が前方に傾斜した状態で遊技球を受容して前記特別入賞用開口内へと誘導する開放位置との間で変位可能な開閉部材と前記特別入賞用開口内に設けられ遊技球の通過を検出する特別入賞用検出手段とからなり、前記通常入賞具を挟んで左右両側に配設された第１の特別入賞具および第２の特別入賞具とを有し、
前記第１および第２の特別入賞具が、前記通常入賞具に入賞したことを条件に実行される前記抽選手段による抽選に当選した場合に前記入賞装置制御手段により前記第１の特別入賞具の第１の前記開閉部材および前記第２の特別入賞具の第２の前記開閉部材を前記開放位置へ変位させて前記特別遊技を実行するよう構成され、
前記入賞装置制御手段が前記第１および第２の開閉部材の開閉動作を独立して制御することにより、前記第１の特別入賞具が所定の時間前記特別遊技を実行する第１の前記特別遊技と、前記第２の特別入賞具が所定の時間前記特別遊技を実行する第２の前記特別遊技とが、前記抽選手段による当選毎に選択的に実行されることを特徴とする弾球遊技機。
【発明の詳細な説明】
【技術分野】
【０００１】
本発明は、遊技盤と遊技盤上であって遊技領域の下部に設けられた入賞装置とを備え、遊技球が当該入賞装置に入賞するよう遊技を行う弾球遊技機に関する。
【背景技術】
【０００２】
従来から弾球遊技機（パチンコ機）における入賞装置の１つとして、いわゆる「アタッカー」と呼ばれるタイプの入賞装置が知られている。このアタッカー型の入賞装置は、遊技盤に設けられた図柄表示装置の下方において形成された入賞用開口に開閉部材を取り付けた構造を有した大入賞具になっていて、常時は開閉部材が直立して当該入賞用開口を閉塞する一方、例えば、以下に述べる所定の条件が成立すると当該開閉部材が前傾して大入賞具が開放され、遊技盤上を落下してくる遊技球を開閉部材が受け入れて、遊技球を入賞用開口内へ誘導するようになっている。
【０００３】
大入賞具が開放されるための条件として、遊技盤上に大入賞具とは別途設けられた始動入賞具への入賞を契機とするものがよく知られている。すなわち、当該始動入賞具への入賞があった場合には、遊技盤上における始動入賞具の上方に設けられた図柄表示装置の変動表示が開始され、当該図柄表示装置における複数の図柄が、所定の組合せからなるものが停止表示されと、いわゆる「大当たり遊技」が発生する。この大当たり遊技においては、普段は閉鎖している大入賞具が開放される。
【０００４】
大入賞具は、開放されてから所定の時間経過するか、又は大入賞具に所定の数の遊技球の入賞があった場合に一旦閉鎖する。そして、この大入賞具が開放している間に、大入賞具の内部に設けられた特定領域（いわゆるＶゾーン）への入賞があると、大入賞具は一旦閉鎖した後、再度開放することとなっている。このような大入賞具を有して構成される入賞装置については、例えば、特許文献１にも記載されている。
【特許文献１】特開２００３−２３６０８１号公報
【発明の開示】
【発明が解決しようとする課題】
【０００５】
ところで、上記のように構成された入賞装置においては、前述したように、所定の大きさの大入賞具と、この大入賞具を開放させるための契機として用いられる始動入賞具とが遊技盤上において離れた位置に設けられた構成になっており、これらの入賞具によって遊技盤上における図柄表示装置の下方のスペースが占められていた。しかしながら近年、パチンコ機では、その遊技盤前面に設けられる液晶パネル等からなる図柄表示装置が、図柄その他の情報を多彩に表示可能とするために大型化しており、遊技盤における図柄表示装置の設置場所を確保するために遊技盤に設けられる入賞装置の小型化が望まれている。
【０００６】
以上のような課題に鑑みて、本発明では遊技盤上の場所をなるべく取らないような入賞装置を設け、さらには、当該入賞装置に設けられた複数の入賞具の作動を制御することで遊技性を向上させた弾球遊技機を提供することを目的とする。
【課題を解決するための手段】
【０００７】
上記課題を解決するために、本発明に係る弾球遊技機は、遊技盤と、遊技盤の前面に取り付けられ遊技盤上を落下する遊技球を受容可能な入賞装置（例えば、実施形態における始動入賞具５０および左右の大入賞具６０，７０）と、遊技球を入賞装置に入賞させる特別遊技を実行するか否かの抽選を行う抽選手段（例えば、実施形態における図柄抽選手段Ｂ７３）と、抽選手段による抽選の結果に基いて入賞装置の作動を制御する入賞装置制御手段（例えば、実施形態における入賞装置制御手段Ｂ７７）とを有し、遊技盤に通常入賞用開口（例えば、実施形態における始動入賞用開口５２）および特別入賞用開口（例えば、実施形態における左大入賞用開口６２，右大入賞用開口７２）が形成され、入賞装置が、通常入賞用開口に取り付けられ遊技盤の上方に向けて開口し遊技球を受容して通常入賞用開口内へと誘導する受容部材と通常入賞用開口内に設けられ遊技球の通過を検出する通常入賞用検出手段（例えば、実施形態における始動入賞センサ１３５）とからなる通常入賞具（例えば、実施形態における始動入賞具５０）と、特別入賞用開口に取り付けられ直立した状態で特別入賞用開口を閉鎖する閉鎖位置と遊技盤に対して上端が前方に傾斜した状態で遊技球を受容して特別入賞用開口内へと誘導する開放位置との間で変位可能な開閉部材（例えば、実施形態における左開閉扉６１および右開閉扉７１）と特別入賞用開口内に設けられ遊技球の通過を検出する特別入賞用検出手段（例えば、実施形態における球検出センサ１３１，１３３）とからなり、通常入賞具を挟んで左右両側に配設された第１の特別入賞具（例えば、実施形態における左大入賞具６０）および第２の特別入賞具（例えば、実施形態における右大入賞具７０）とを有し、第１および第２の特別入賞具が、通常入賞具に入賞したことを条件に実行される抽選手段による抽選に当選した場合に入賞装置制御手段により第１の特別入賞具の第１の開閉部材（例えば、実施形態における左開閉扉６１）および第２の特別入賞具の第２の開閉部材（例えば、実施形態における右開閉扉７１）を開放位置へ変位させて特別遊技を実行するよう構成され、入賞装置制御手段が第１および第２の開閉部材の開閉動作を同期するように制御することにより、第１および第２の特別入賞具が抽選手段による当選毎に所定の時間同時に特別遊技を実行する。
【０００８】
また、上記課題を解決するために、本発明に係る弾球遊技機は、遊技盤と、遊技盤の前面に取り付けられ遊技盤上を落下する遊技球を受容可能な入賞装置（例えば、実施形態における始動入賞具５０および左右の大入賞具６０，７０）と、遊技球を入賞装置に入賞させる特別遊技を実行するか否かの抽選を行う抽選手段（例えば、実施形態における図柄抽選手段Ｂ７３）と、抽選手段による抽選の結果に基いて入賞装置の作動を制御する入賞装置制御手段（例えば、実施形態における入賞装置制御手段Ｂ７７）とを有し、遊技盤に通常入賞用開口（例えば、実施形態における始動入賞用開口５２）および特別入賞用開口（例えば、実施形態における左大入賞用開口６２，右大入賞用開口７２）が形成され、入賞装置が、通常入賞用開口に取り付けられ遊技盤の上方に向けて開口し遊技球を受容して通常入賞用開口内へと誘導する受容部材と通常入賞用開口内に設けられ遊技球の通過を検出する通常入賞用検出手段（例えば、実施形態における始動入賞センサ１３５）とからなる通常入賞具（例えば、実施形態における始動入賞具５０）と、特別入賞用開口に取り付けられ直立した状態で特別入賞用開口を閉鎖する閉鎖位置と遊技盤に対して上端が前方に傾斜した状態で遊技球を受容して特別入賞用開口内へと誘導する開放位置との間で変位可能な開閉部材（例えば、実施形態における左開閉扉６１および右開閉扉７１）と特別入賞用開口内に設けられ遊技球の通過を検出する特別入賞用検出手段（例えば、実施形態における球検出センサ１３１，１３３）とからなり、通常入賞具を挟んで左右両側に配設された第１の特別入賞具（例えば、実施形態における左大入賞具６０）および第２の特別入賞具（例えば、実施形態における右大入賞具７０）とを有し、第１および第２の特別入賞具が、通常入賞具に入賞したことを条件に実行される抽選手段による抽選に当選した場合に入賞装置制御手段により第１の特別入賞具の第１の開閉部材（例えば、実施形態における左開閉扉６１）および第２の特別入賞具の第２の開閉部材（例えば、実施形態における右開閉扉７１）を開放位置へ変位させて特別遊技を実行するよう構成され、入賞装置制御手段が第１および第２の開閉部材の開閉動作を独立して制御することにより、第１の特別入賞具が所定の時間特別遊技を実行する第１の特別遊技と、第２の特別入賞具が所定の時間特別遊技を実行する第２の特別遊技とが、抽選手段による当選毎に選択的に実行されるように構成してもよい。
【発明の効果】
【０００９】
本発明に関する弾球遊技機によれば、始動用開口と大入賞用開口とが遊技盤上に隣接されているため、従来は始動用開口（始動入賞具）と大入賞用開口（大入賞具）とを離れた位置に設置するために必要であった遊技盤上の取付スペースを、新たな入賞装置を設置するために利用することができたり、この取付スペースを図柄表示装置を大きくするために利用することができる。
【００１０】
また、並設されている左右の大入賞具のうち、一方の大入賞具の開口部を大きくし、他方の大入賞具の開口部を小さくするよう構成すれば、遊技盤上を落下する遊技球の落下経路によっては大入賞具に入賞し易かったり、あるいは、入賞しにくかったりするために遊技性が高まり、バリエーションに富んだ遊技を実行させることができる。
【００１１】
さらに、抽選手段による抽選の当選毎に左右に並設されている大入賞具が交互に開放と閉鎖を繰り返すように構成したり、又は、抽選手段による抽選の当選毎に左右に並設されている大入賞具が同期して開放と閉鎖を行うように構成することも可能なため、このような構成にすることによってもバリエーションに富んだ遊技を実行させることができる。
【発明を実施するための最良の形態】
【００１２】
以下、本発明に係る弾球遊技機の好ましい実施形態について、添付図面を参照しながら詳細に説明する。なお、図１は上記弾球遊技機の一例として説明するパチンコ機の外観正面図で、図２はパチンコ機の裏面側を示す背面図で、図３はパチンコ機に備えられた入賞装置に設けられた開口部を示す正面図で、図４は入賞装置周辺を示す斜視図で、図５は入賞装置に設けられた開閉扉周辺を示す平断面図で、図６は入賞装置を示す平断面図で、図７は図５中の矢印Ｃ−Ｃに沿った部分断面図で、図８は図５中の矢印Ａ−Ａに沿った部分側断面図で、図９は図５中の矢印Ｂ−Ｂに沿った部分側断面図である。また、図１０はパチンコ機に設けられている制御システムの概略を表したブロック図で、図１１乃至図１３はパチンコ機における遊技の概要を示すフローチャートで、そして、図１４および図１５はパチンコ機に設けられた入賞装置の一実施形態を概念的に示す図である。
【００１３】
ここではまず、上記弾球遊技機の一例として説明するパチンコ機ＰＭの概要構成を図１および図２を参照して説明する。このパチンコ機ＰＭは、外郭方形枠サイズに構成されて縦向きの固定保持枠をなす外枠１の開口前面に、これに合わせた方形枠サイズに構成されて開閉搭載用の前枠２が正面左側上下に配設されたヒンジ部材３ａ，３ｂにより横開き開閉および着脱が可能に取り付けられ、正面右側に設けられた施錠装置４を利用して通常は外枠１と係合された閉鎖状態に保持される。
【００１４】
前枠２の正面側には、前枠２の前面域に合わせた方形状をなし中央部に取り付けられたポリカーボネート板やガラス板等の透明板材５ａ（図７もしくは図８参照）を通して遊技盤２０を透視可能なガラス扉５が、さらにガラス扉５の下部には遊技球を整列させて１個ずつ前枠２の裏面に設けられた打球発射装置９に導く上球皿６が、ともに左側縁に内蔵されたヒンジ機構により前枠２に対して横開き開閉および着脱が可能に組み付けられる。ガラス扉５および上球皿６は、通常は施錠装置４および図示しないロック機構を利用して前枠２の前面を覆う閉止状態で保持される。また、前枠２の下部には下球皿７が設けられ、この下球皿７と並んで遊技球の発射操作を行う操作ハンドル８が取り付けられている。
【００１５】
遊技盤２０は、板厚１９ｍｍ程度の積層合板を所定形状に切断等して、その表面に所定意匠のセルを貼り付けた化粧板（ベニヤとも称される）２１を基板として構成される。化粧板２１の前面側には、帯状の外レール２３ａおよび内レール２３ｂが円弧状に固設され、これらの案内レール２３ａ，２３ｂで囲まれた内側に遊技領域ＰＡが区画される。遊技領域ＰＡには、始動入賞具５０、左大入賞具６０および右大入賞具７０が隣接して並設された入賞装置４０、一般入賞具２５、さらに遊技の進行状況に応じて所定の図柄を表示させる図柄表示装置２８などが取り付けられ、遊技領域ＰＡの下端には入賞具２５，５０，６０，７０に入賞せずに落下した遊技球を遊技盤２０の裏面側に排出させるアウト口２７が設けられている。また、図柄表示装置２８は、遊技盤２０のほぼ中央に位置しており、この図柄表示装置２８は、３桁の絵柄の組合せからなる「特別図柄」を液晶画面にて変動表示させる図柄表示画面を有して構成されている。さらに、図柄表示装置２８の上方には４個の特別図柄保留ランプ２９，２９，２９，２９が設けられている。
【００１６】
図２に示すように、前枠２の裏面下部には、遊技球を外レール２３ａに向けて発射する打球発射装置９、および操作ハンドル８の回動操作を受けて打球発射装置９の作動を制御する発射装置制御基板２００が取り付けられている。また、上球皿６の背後には、通常は閉鎖保持される上球皿６によりその前面側が覆われている遊技補助盤と称される補助機構部が形成され、その前面側に打球発射装置９によって打ち出された遊技球を外レール２３ａに向けて案内する発射レールや、遊技領域ＰＡに到達できずに打球発射装置９側に戻ってきたファール球を下球皿７に排出させるファール球回収経路部材、遊技の展開状況に応
じた効果音を発生させるスピーカなどが取り付けられている。
【００１７】
また、前枠２の背後には、裏セット盤３０が取り付けられている。この裏セット盤３０は、外枠１の内寸サイズよりも幾分小さめの方形状をなし、中央に表裏貫通する窓口３１ｗを有して一体成形された基枠体３１をベースとして構成される。基枠体３１の側縁部には上下に所定間隔をおいて裏セット盤揺動ヒンジ部材３２，３３が固定されており、この上下の裏セット盤揺動ヒンジ部材３２，３３を前枠２側の上下の固定ヒンジ部材１２，１３に係合させて揺動させあるいは係脱させることで、裏セット盤３０が前枠２の背後に横開き開閉および着脱可能に装備され、通常は３箇所の閉鎖レバー３４を利用して前枠２の背面を覆うように閉鎖保持される。
【００１８】
裏セット盤３０には、窓口３１ｗを取り囲むようにして賞球を払い出すための賞球経路が設けられる。すなわち、基枠体３１の裏面側には、遊技球の貯留・供給を行うタンク部材３５、タンク部材３５から供給される遊技球を整列させて流下させる整列樋部材３６、整列樋部材３６から供給される遊技球を受けて所定数量の遊技球を待機保持させる賞球待機通路３７、賞球待機通路３７に待機された遊技球を所定の入賞条件等に基いて払い出す球払出装置３８、球払出装置３８から払い出された遊技球を上下の球皿６，７に導く賞球払出経路３９などの賞球経路が設けられている。また、基枠体３１の前面側には、窓口３１ｗの下方に位置して遊技盤２０の裏面側に排出されたアウト球およびセーフ球、球抜き機構によって賞球経路の途上から排出された抜き球等を集合させる図示しない集合経路が形成され、基枠体３１の裏面側には集合経路と繋がって集合された遊技球を遊技施設側の回収バケットに排出させる図示しない球排出経路が形成されている。
【００１９】
裏セット盤３０の裏面各部には、パチンコ機ＰＭの作動を統括的に制御する主基板７００や、主基板７００からの指令信号を受けて、ソレノイドに向けて制御信号を出力するソレノイド中継基板８００、主基板７００からの指令信号に基いて球払出装置３８の作動制御を行う球払出基板３００、効果照明や効果音の作動制御を行うランプ・音声制御基板４００、これらの制御基板や各種電子機器等に電力を供給する電源基板５００などの回路基板が着脱交換可能に取り付けられ、これら各回路基板や電子機器が図示しないワイヤーハーネスで接続されてパチンコ機ＰＭが構成される。
【００２０】
パチンコ機ＰＭは、ガラス扉５、上球皿６、裏セット盤３０等がそれぞれ閉鎖され、前枠２が外枠１に閉鎖施錠された状態で遊技に供される。遊技は上球皿６に遊技球を貯留させて操作ハンドル８を回動操作することにより開始され、上球皿６に貯留された遊技球が１球ずつ打球発射装置９に送られ操作ハンドル８の回動操作角度に応じた強度で遊技領域ＰＡに打ち出されてパチンコゲームが展開される。
【００２１】
次に、本発明に係る入賞装置について図３から図９を加えて説明する。図柄表示装置２８の下方には、入賞装置４０を遊技盤２０に取り付けて固定するための図示しない配設孔が設けられており、この配設孔は、遊技盤２０の前面に形成される遊技領域ＰＡから遊技盤２０の裏面側へと貫通形成されている。また、入賞装置４０は、後述するソレノイド類が収納され上記配設孔内に取付可能な直方体状の筐体４１と、筐体４１の前面側を覆う平板状の取付板４２とを有して構成され、筐体４１を配設孔内に遊技盤２０の表側から装入し、取付板４２に形成された４箇所の取付孔４２ｂ，４２ｂ，…を介して遊技盤２０の前面にビス止めすることで入賞装置４０が遊技盤２０に固設される。
【００２２】
筐体４１前面には開口部が形成されており、この開口部と略同一の大きさの開口域を有する取付板４２が筐体４１を覆うことにより、入賞装置４０の前面には遊技球を受容可能な矩形状の開口４５が形成される。そして、入賞装置４０に形成された当該開口４５は、３箇所の開口、すなわち始動用開口５２、この始動用開口５２を挟んで左側に左大入賞用開口６２、右側に右大入賞用開口７２とから構成されている。なお、筐体４１内部は複数の入賞空間に仕切られており、これらのうち始動用開口５２から連通する入賞空間は、左右の大入賞用開口６２，７２から連通する入賞空間とは隔絶されている。
【００２３】
また、左大入賞用開口６２および右大入賞用開口７２はともに左右に同一の長さを有しており、左大入賞用開口６２に左開閉扉６１が開閉自在に取り付けられて左大入賞具６０を構成し、右大入賞用開口７２に右開閉扉７１が開閉自在に取り付けられて右大入賞具７０を構成する。
【００２４】
始動用開口５２の前面は、遊技盤２０の上方に向けて開口した平面視Ｕ字形の受容部材５１によりその一部が覆われていて、この受容部材５１が始動入賞具５０を構成する。図８に示すように、受容部材５１の内側は曲面５１ａが形成され、始動入賞具５０に落入した遊技球がこの曲面５１ａにより案内されて始動用開口５２内へと誘導されるようになっている。始動用開口５２は、その左右開口幅が遊技球の外径よりも大きく形成されており、遊技球が１球ずつこの始動用開口５２内に進入できるようになっている。始動用開口５２内には、平面視でコの字形に形成された仕切壁１０７が設けられ、始動用開口５２の内部は後述する右転がり面１０１および左転がり面１０２とは隔絶されている（図６参照）。また、始動用開口５２は、遊技球が１球ずつ通過する幅に下方に延びて形成された始動用入賞通路１１３と連通されている。さらに、この始動用入賞通路１１３は入賞装置４０の下部通路１１４に開口形成されて下方に延びる入賞球排出通路１１５と連通されている（図７参照）。すなわち、始動入賞具５０へ入賞した遊技球は、始動用入賞通路１１３を１球ずつ通過して、入賞球排出通路１１５から遊技盤２０の裏面へ排出されるようになっている。
【００２５】
始動用入賞通路１１３には、遊技球が通過可能な平面視略八角形状の検出孔部１３５ａを有し遊技球がこの検出孔部１３５ａを通過したときにこれを磁気的に検出する始動入賞センサ１３５が設けられている。この始動入賞センサ１３５は、始動用入賞通路１１３内に設けられたセンサホルダ１３６により前後方向に挿抜自在に収容されている。この始動入賞センサ１３５は、ハイ信号及びロー信号の２通りの状態をとる始動入賞信号を出力する。この始動入賞信号は、遊技球の通過を検出していないときにはハイ信号として出力されるが、遊技球が通過する間のみロー信号として出力される。なお、光学的又は機械的センサが始動入賞センサとして使用されることもある。
【００２６】
取付板４２の裏面には、後方へ突出した左右２箇所の軸受部４３，４４が設けられている。この軸受部４３，４４には、上方に開放され左右に延びる軸受溝４３ａ，４４ａが各々設けられている。また、仕切壁１０７における左右両側壁には、各々の壁面を左右に貫通する軸受孔１０７ａ，１０７ｂが形成されている。
【００２７】
左大入賞具６０を構成する矩形平板状の左開閉扉６１には、左右両端に設けられて左右側方に各々突出する係合軸６３，６４を有している。この係合軸６３は軸受溝４３ａと嵌合し、係合軸６４は軸受孔１０７ａ内に装着される。このようにして入賞装置４０に取り付けられた左開閉扉６１は、その一端側を左右に延びる回動軸６５を回動中心として、遊技盤２０の前後方向に回動可能である。すなわち、この左開閉扉６１は、直立した状態で左大入賞用開口６２を閉鎖する閉鎖位置と、遊技盤２０に対して上端が前方に傾斜した状態で遊技球を受容可能な開放位置との間で、回動軸６５を回動中心として回動変位可能となっている。また、係合軸６３とは別に、左開閉扉６１の左側端部には、左方に延びて後述する規制片８４の長穴８５と係合する係止片６６が設けられている。
【００２８】
同様に、右大入賞具７０を構成する矩形平板状の右開閉扉７１には、左右に設けられて左右側方に各々突出する係合軸７３，７４が設けられている。この係合軸７３は軸受溝４４ａと嵌合し、係合軸７４は軸受孔１０７ｂ内に装着される。このようにして入賞装置４０に取り付けられた右開閉扉７１は、その一端側を左右に延びる回動軸７５を回動中心として、遊技盤２０の前後方向に回動可能である。すなわち、この右開閉扉７１は、直立した状態で右大入賞用開口７２を閉鎖する閉鎖位置と、遊技盤２０に対して前方に傾斜した開放位置との間で、回動軸７５を回動中心として回動変位可能となっている。また、係合軸７３とは別に、右開閉扉７１の右側端部には、右方に延びて後述する規制片９４の長穴９５と係合する係止片７６が設けられている。
【００２９】
上記のように構成される左右の開閉扉６１，７１を各々開閉作動させるための駆動機構として、各々上下に延びて上下方向に移動可能なプランジャ８２，９２を有した左右の大入賞具開放ソレノイド８１，９１が入賞装置４０内に配設されている。ここでは、右開閉扉７１を開閉作動させるために配設された右大入賞具開放ソレノイド９１等を例に開閉扉の駆動機構を説明する。図９に示すように、この駆動機構は、ソレノイド９１のほか、プランジャ９２、バネ９３および規制片９４を有して構成される。
【００３０】
ソレノイド９１への通電がない状態では、プランジャ９２は、プランジャ９２に被せられたバネ９３のプランジャ９２に沿う方向への復元力により、下方に突出した状態を保っている。このプランジャ９２の先端には、側面視クランク状の規制片９４が取り付けられている。この規制片９４の先端部の側面には、前後に延びる長穴９５が設けられており、この長穴９５と、右開閉扉７１の係止片７６とが係合するようになっている。バネ９３の復元力は、規制片９４を介して長穴９５と係合する係止片７６に伝達され、係止片７６が下方に押圧されることで右開閉扉７１が直立した閉鎖位置に保持される（図９において実線で表される右開閉扉７１）。
【００３１】
ソレノイド９１への通電で、プランジャ９２がバネ９３の復元力に抗してソレノイド９１内へ引き込まれると、これとともに規制片９４が上動する。このとき、係止片７６が長穴９５内を規制片９４の基端側に移動する。そして、右開閉扉７１は、自重によりその下端の回動軸７５を回動中心として図９における矢印Ｄ方向に回動し、遊技盤２０に対して前傾する状態になり、右大入賞具７０が開放される（図９において開放位置にある右開閉扉７１を鎖線で示す）。また、自重により所定の角度まで前傾した右開閉扉７１は、係止片７６と規制片９４とが係合することで、それ以上の回動が規制され、右開閉扉７１が所定の以上の角度に前傾するのが阻止されるようになっている。
【００３２】
一方、ソレノイド９１への通電が切断されると、バネ９３の復元力によりプランジャ９２は下方に突出し、これにともなって規制片９４が下方へ移動する。このため、係止片７６は長穴９５の先端側に移動して下方に押し付けられ、右開閉扉７１はその回動軸７５回りに後方に（遊技盤２０の側に）回動して右大入賞具７０が閉鎖される。以上、右開閉扉７１を例にこれを開閉させる駆動機構を説明したが、左開閉扉６１の開閉に関する駆動機構も上記右開閉扉７１の場合と同様で、当該駆動機構はソレノイド８１のほか、プランジャ８２、バネ８３および規制片８４を有して構成され、プランジャ８２の先端に取り付けられた規制片８４と左開閉扉６１の係止片６６とを係合させることで、左開閉扉６１の開閉作動が制御される。
【００３３】
入賞装置４０の内部であって右大入賞用開口７２側には、入賞装置４０の奥側に向かってやや下傾する右転がり面１０１が形成され、同様に、左大入賞用開口６２側には入賞装置４０の奥側に向かってやや下傾する左転がり面１０２が形成されている（図６参照）。さらに、左転がり面１０２の一部は、左転がり面１０２上を前後に延びる仕切壁１０５により左右の領域に分けられて、平面視で右側の第１球通路側転がり面１０３と平面視で左側の第２球通路側転がり面１０４とが形成されている。また、第１球通路側転がり面１０３と右転がり面１０１とを繋ぐ転がり面１０６が第１球通路側転がり面１０３側から右転がり面１０１側に向けて下傾して形成されている。
【００３４】
右転がり面１０１の右奥隅側には非特定領域と称される第１球通路１１１が、第１球通路側転がり面１０４の奥側には特定領域（いわゆるＶゾーン）と称される第２球通路１１２が、いずれも下方に延びて形成されている。また、第２球通路１１２の上部には、左右方向に移動変位して第２球通路１１２の入口を開閉させるシャッタ１２１が左右に延びて配設されている。
【００３５】
上記シャッタ１２１の駆動機構として、左右に移動可能なプランジャ１２３を有した特定領域ソレノイド１２２がシャッタ１２１の左方に設けられている。シャッタ１２１は正面視でＬ字形に形成され、その基端側がプランジャ１２３の先端部に取り付けられている。この特定領域ソレノイド１２２への通電がない状態では、図６および図７に示すように、プランジャ１２３はプランジャ１２３に被せられたバネ１２４のプランジャ１２３に沿う方向への復元力により、右方に突出した状態を保っている。この状態では、シャッタ１２１により、第２球通路１１２の入口は閉鎖されている。このため、第１球通路側転がり面１０４を流れてきた遊技球は、第２球通路１１２内に突入できずに、転がり面１０６上を第１球通路１１１に向けて右方に流れる。
【００３６】
特定領域ソレノイド１２２への通電で、プランジャ１２３がバネ１２４の復元力に抗して特定領域ソレノイド１２２内へ引き込まれると、これとともにシャッタ１２１が左動する。このため、第２球通路１１２の入口は開放されて第１球通路側転がり面１０４を流れてきた遊技球は、第２球通路１１２内へ突入可能となる。一方、特定領域ソレノイド１２２への通電が切断されると、バネ１２４の復元力によりプランジャ１２３は右動し、これにともなってシャッタ１２１が右動して第２球通路１１２の入口が閉鎖される。
【００３７】
第１球通路１１１には、遊技球が通過可能な平面視略八角形状の検出孔部１３１ａを有し遊技球がこの検出孔部１３１ａを通過したときにこれを磁気的に検出する球検出センサ１３１が設けられている（図６および図７参照）。この球検出センサ１３１は、第１球通路１１１に設けられたセンサホルダ１３２により前後方向に挿抜自在に収容されている。この球検出センサ１３１は、ハイ信号及びロー信号の２通りの状態をとる球検出信号を出力する。この球検出信号は、遊技球の通過を検出していないときにはハイ信号として出力されるが、遊技球が通過する間のみロー信号として出力される。なお、光学的又は機械的センサがこの球検出センサ１３１として使用されることもある。
【００３８】
同様に、第２球通路１１２には、遊技球が通過可能な平面視略八角形状の検出孔部１３３ａを有し遊技球がこの検出孔部１３３ａを通過したときにこれを磁気的に検出する球検出センサ１３３が設けられている（図６および図７参照）。この球検出センサ１３３は、第２球通路１１２に設けられたセンサホルダ１３４により前後方向に挿抜自在に収容されている。この球検出センサ１３３は、ハイ信号及びロー信号の２通りの状態をとる球検出信号を出力する。この球検出信号は、遊技球の通過を検出していないときにはハイ信号として出力されるが、遊技球が通過する間のみロー信号として出力される。なお、光学的又は機械的センサがこの球検出センサとして使用されることもある。
【００３９】
また、第１球通路１１１の下部は下部通路１１４に開口形成されて下方に延びる入賞球排出通路１１５と連通されており、第１球通路１１１内を通過した遊技球は、下部通路１１４を通って入賞球排出通路１１５から遊技盤２０の裏面へ排出されるようになっている。同様に、第２球通路１１２の下部は下部通路１１４に開口形成されて下方に延びる入賞球排出通路１１５と連通されており、第２球通路１１２内を通過した遊技球は、下部通路１１４を通って入賞球排出通路１１５から遊技盤２０の裏面へ排出されるようになっている。
【００４０】
次に、パチンコ機ＰＭを制御する制御システムの概略を説明する。図１０に示すように、本制御システムは、遊技盤２０に配設された遊技盤側電気部品である球検出センサ１３１，１３３、始動入賞センサ１３５、ソレノイド中継基板８００、ソレノイド８１，９１，１２２、図柄表示装置２８等と、裏セット盤３０に配設された枠側電気部品である上述の主基板７００等とから構成され、これらがケーブル等により電気的に接続されている。
【００４１】
主基板７００は、パチンコ機ＰＭの動作全体を管理するシステムプログラム及び遊技用の実行プログラムが予め記憶されている半導体メモリ等で形成された記憶部およびこれらのプログラムを実行するマイクロプロセッサ（以下、「ＣＰＵ」という。）を有する制御部７１０と、主基板７００の制御とは無関係に図柄抽選用の乱数（例えば、０〜６５５３５の６５５３６個の乱数値）を発生させる乱数発生部７２０とから構成され、さらに、制御部７１０は、各ソレノイド８１，９１，１２２にソレノイド駆動信号を出力することにより、開閉扉６１，７１等の開閉作動を制御する入賞装置制御手段Ｂ７７を有している。
【００４２】
また、主基板７００は、球検出センサ１３１，１３３に接続されて球検出センサ１３１，１３３からの球検出信号が入力され、始動入賞センサ１３５に接続されて始動入賞センサ１３５からの検出信号（始動信号）が入力される。一方、左大入賞具開放ソレノイド８１、右大入賞具開放ソレノイド９１および特定領域ソレノイド１２２は、ソレノイド中継基板８００を介して主基板７００と各々接続され、主基板７００からのソレノイド駆動信号が、ソレノイド中継基板８００を介して各ソレノイド８１，９１，１２２に入力され、各ソレノイド８１，９１，１２２を駆動させるようになっている。また、主基板７００からの図柄表示信号が図柄表示装置２８に入力されると、図柄表示装置２８が作動して複数の図柄表示部における図柄の変動表示をさせるようになっている。
【００４３】
制御部７１０のＣＰＵ７１１は、図柄抽選手段Ｂ７３および当たり判定手段Ｂ７５を有している。主基板７００は、始動入賞センサ１３５からのロー信号（始動信号）を検出すると、この図柄抽選手段Ｂ７３により、乱数発生部７２０から順次発生する６５５３６個の乱数のうちの１つのカウント値が取得されることで、図柄表示装置２８における停止図柄の決定が行われる。
【００４４】
制御部７１０には上記のＣＰＵ７１１のほか、ＲＯＭ７１２が設けられており、ＣＰＵ７１１が実行すべき制御プログラム及び制御の過程で必要なデータはＲＯＭ７１２に記載されている。これら必要なデータのうち、例えば図柄データテーブルＢ７４には、図柄表示装置２８における停止図柄を決定するための図柄データが記録されている。個々の図柄データにはアドレス番号が付与されており、１つのアドレス番号から１つの図柄データが特定されることとなっている。上述のように、始動入賞センサ１３５からのロー信号（始動信号）を検出すると、乱数発生部７２０により発生した乱数の中から抽選した図柄抽選用のカウント値と、図柄データテーブルＢ７４内の図柄データとの照合により停止図柄が選択される。そして、主基板７００からの図柄表示信号に基いて選択された所定の図柄が図柄表示装置２８上に表示される。
【００４５】
上記のようにして、図柄抽選手段Ｂ７３による抽選結果に基いて選択された３桁の絵柄もしくは数字の組合せからなる「特別図柄」（例えば、「１４７」，「２５８」）が図柄表示装置２８の液晶画面に表示されるが、この特別図柄のうち、３桁がいずれも同一種類の絵柄の組合せからなるもの（例えば、「１１１」，「７７７」）を「大当たり図柄」と称する。
【００４６】
また、ＲＯＭ７３３上の当たり判定テーブルＢ３８には、取得される乱数値の全範囲について、一の乱数値に対して「当たり乱数」か、それとも「ハズレ乱数」かの一意的な判定結果が定まるようなデータが記録されている。すなわち、６５５３６個の乱数値は、当たり乱数およびハズレ乱数のうちのどちらかに必ず属し、双方に属したり、いずれにも属さなかったりすることはない。ここで、当たり乱数とは、大当たり遊技を発生させるような所定の図柄の組合せを図柄表示装置２８に停止表示させるような乱数値をいう。当たり判定手段Ｂ３７は、上記図柄抽選手段Ｂ３５により抽選されたカウント値を上記判定テーブルＢ３８と比較参照して、当該カウント値に対応する判定結果、すなわち、当該カウント値が当たり乱数であるか、それともハズレ乱数であるかを判断する。
【００４７】
制御部７１０の入賞装置制御手段Ｂ７６は、図柄抽選手段Ｂ３５により抽選されたカウント値が当たり判定手段Ｂ３７により当たり乱数であると判定された場合には、各ソレノイド８１，９１，１２２にソレノイド駆動信号を出力して左開閉扉６１および右開閉扉７１を同時にその開放位置に変位させ、シャッタ１２１を開放させる。なお、図柄抽選手段Ｂ３５により抽選されたカウント値が当たり乱数である場合に、各ソレノイド８１，９１のうちソレノイド８１にのみソレノイド駆動信号を出力させるようにすることも可能である。すなわち、大当たり遊技の際に左開閉扉６１のみ開放させることも可能である。これは、ソレノイド９１、すなわち、右開閉扉７１についても同様である。
【００４８】
また、図柄抽選手段Ｂ３５により当たり乱数が抽選される毎に、ソレノイド８１とソレノイド９１とに交互にソレノイド駆動信号を出力させるようにすることも可能である。すなわち、大当たり遊技の発生毎に、左開閉扉６１の開放と右開閉扉７１の開放とを交互に繰り返すようにすることができる。さらに、ソレノイド８１のみに連続してソレノイド駆動信号を出力して、左開閉扉６１のみを所定の回数連続的に開放させ、その後、ソレノイド９１のみに連続してソレノイド駆動信号を出力して、右開閉扉７１のみを所定の回数連続的に開放させるようにすることもできる。
【００４９】
次に本発明に係るパチンコ機ＰＭにおける遊技の概要について、図１１から図１２までのフローチャートを参照しつつ説明する。なお、図１１および図１２に示すフローチャートは、丸囲みＡの部分同士が繋がって１つのフローチャートを構成し、丸囲みＢの部分同士が繋がって１つのフローチャートを構成し、さらに、丸囲みＣの部分同士が繋がって１つのフローチャートを構成している。まず、操作ハンドル８を遊技者が操作することで、遊技盤２０に打球が弾球される。この打球は、遊技盤２０上に設けられた図示しない釘等に接触しながら、遊技盤２０を落下する。
【００５０】
そして、ステップＳ１において、遊技盤２０を落下する遊技球が、始動入賞具５０に入賞したか否かが判断される。ここで、始動入賞具５０へ入賞したものと判断された場合に、既に保留球数が４個に達している場合には、上球皿６のうち横型長方形をなし前枠２に対して開閉可能な当て板６ａの左側上部に設けられた賞球払出口６ｂから所定の数（例えば５球）の賞球が遊技者に払い出され、（ステップＳ２）ステップＳ３に移行する。一方、保留球数が４個未満で、且つ、図柄表示装置２８における変動表示の最中に始動入賞具５０への入賞があったと判断された場合には、保留球数を１加算した上で、所定の数（例えば５球）の賞球が遊技者に払い出され（ステップＳ２）、ステップＳ３に移行する。
【００５１】
ステップＳ１において、始動入賞具５０に入賞しなかったものと判断された場合には、ステップＳ２０において一般入賞具２５へ入賞したか否かが判断され、ここで一般入賞具２５へ入賞しなかったたものと判断された場合には、直ちにステップＳ３に移行する。また、ステップＳ２０において一般入賞具２５へ入賞したものと判断された場合には、賞球払出口６ｂから所定の数（例えば５球）の賞球が遊技者に払い出された上で（ステップＳ２１）、ステップＳ３に移行する。
【００５２】
ステップＳ３において、制御部７１０に記憶されている保留球数が０であると判断された場合には、以降の図柄の変動処理は実行されることはなく、一方、保留球数が１以上４以下であると判断された場合には、保留球数から１が減算される。そして、主基板７００から制御信号が図柄表示装置２８に出力され、図柄表示装置２８が作動して図柄の変動表示が開始される（ステップＳ４）。なお、図柄表示装置２８における図柄の変動表示の最中に打球が始動入賞具５０に入賞した場合には、保留球数が最大４個まで制御部７１０において記憶され、記憶された保留球数分に相当する回数だけ、以後の図柄表示装置２８の作動が保証されることとなっている。記憶された保留球数は、遊技盤２０上の特別図柄保留ランプ２９，２９，２９，２９が点灯することで遊技者が認識できるようになっている。
【００５３】
そして、続くステップＳ５において、図柄抽選手段Ｂ７３により、乱数発生部７２０により生成される乱数のうちの１つのカウント値が取得され、このカウント値に応じた停止図柄が選択される。そして、主基板７００からの図柄表示信号に基いて選択された所定の図柄が図柄表示装置２８上に表示される（ステップＳ６）。
【００５４】
このとき、図柄抽選手段Ｂ７３により取得されたカウント値が所定の当選値であるか否かが当たり判定手段Ｂ７５によって判断され（ステップＳ７）、所定の当選値でない限りは、すなわち、図柄表示装置２８に停止表示された図柄が所定の大当たり図柄でない限りは、主基板７００からソレノイド駆動信号が各ソレノイド８１，９１に出力されために各ソレノイド８１，９１は通電されず、左右の開閉扉６１，７１は直立した状態のままであり、左右の大入賞具６０，７０は閉鎖状態を保つ（ステップＳ８）。このような左右の開閉扉６１，７１の閉鎖状態では、大入賞具６０，７０内に遊技球の進入ができないようになっている。このため、遊技盤２０上を落下する遊技球は、大入賞具６０，７０内に入らずに、下方のアウト口２７に至る。
【００５５】
一方、図柄抽選手段Ｂ７３により取得されたカウント値が、所定の当選値であると当たり判定手段Ｂ７５により判断された場合には、すなわち、図柄表示装置２８における図柄変動の結果、停止表示される特別図柄が所定の大当たり図柄の場合には、「大当たり遊技」が発生する。この大当たり遊技においては、入賞装置制御手段Ｂ７７からソレノイド駆動信号が各ソレノイド８１，９１に向けて出力されて各ソレノイド８１，９１が通電され、普段は閉鎖している左右の開閉扉６１，７１が所定の角度に前傾した位置まで回動し、左大入賞具６０および右大入賞具７０は一斉に開放状態となる（ステップＳ９）。このような開放状態では、左右の開閉扉６１，７１が遊技盤２０上を落下してくる遊技球を受けて、左右の大入賞具６０，７０内への遊技球の進入が可能となる。このとき、入賞装置４０内では、入賞装置制御手段Ｂ７７から特定領域ソレノイド１２２に向けて制御信号が出力されて特定領域ソレノイド１２２が通電され、シャッタ１２１が左動することによって第２球通路１１２の入口が開放される（ステップＳ１０）。
【００５６】
左右の開閉扉６１，７１の開放後、右開閉扉７１に受容されて右転がり面１０１に進入した遊技球は、第１球通路１１１内に突入する。このとき、第１球通路１１１内に設けられた球検出センサ１３１の検出孔部１３１ａを遊技球が通過して、その検出が行われ（ステップＳ１１）、賞球払出口６ｂから所定の数（例えば１５球）の賞球が払い出される（ステップＳ１２）。また、左開閉扉６１に受容されて左転がり面１０２に進入した遊技球のうち、仕切壁１０５よりも右側の第１球通路側転がり面１０３を通過する遊技球は、下傾する転がり面１０６によって右転がり面１０１側に誘導されて、第１球通路１１１内に突入する。このとき、第１球通路１１１内に設けられた球検出センサ１３１の検出孔部１３１ａを遊技球が通過して、その検出が行われ（ステップＳ１１）、賞球払出口６ｂから所定の数（例えば１５球）の賞球が払い出される（ステップＳ１２）。
【００５７】
一方、左開閉扉６１に受容されて左転がり面１０２に進入した遊技球のうち、仕切壁１０５よりも左側の第２球通路側転がり面１０４を通過する遊技球は、第２球通路１１２内に突入する。このとき、第２球通路１１２内に設けられた球検出センサ１３３の検出孔部１３３ａを遊技球が通過して、その検出が行われ（ステップＳ１３）、賞球払出口６ｂから所定の数（例えば１５球）の賞球が払い出される（ステップＳ１４）。これとともに、球検出センサ１３３による遊技球の検出が行われると、入賞装置制御手段Ｂ７７から特定領域ソレノイド１２２に向けて制御信号が出力されて特定領域ソレノイド１２２への通電が遮断され、シャッタ１２１が右動して第２球通路１１２の入口が閉鎖される（ステップＳ１５）。そしてこれ以降、再び開閉扉６１，７１が開放されるまでは、シャッタ１２１は第２球通路１１２の入口を閉鎖したままの状態となる。
【００５８】
左右の大入賞具６０，７０は、これらが一斉に開放されて所定の時間（例えば３０秒間）経過するか、又は球検出センサ１３１，１３３により所定の数（例えば１０球）の入賞の検出があるかの判断により（ステップＳ１６）、いずれかの条件を満たした場合に一旦閉鎖する（ステップＳ１７）。そして、これら左右の大入賞具６０，７０が開放していた間に、入賞装置４０の内部に設けられた第２球通路１１２（特定領域）への入賞があったと判断された場合には（ステップＳ１８）、大入賞具６０，７０は上記のように一旦閉鎖した後、再度開放することとなっている。これにより、大入賞具６０，７０の開放は、所定の回数（例えば１６回）連続することが可能となっている。また、大入賞具６０，７０が所定の回数（例えば１６回）開放し終えるか（ステップＳ１９）、又は大入賞具６０，７０の開放中に第２球通路１１２への入賞がなかった場合には、この大当たり遊技は終了する。
【００５９】
なお、これまで本発明の好ましい実施形態について説明してきたが、本発明の範囲は上述した実施形態に必ずしも限定されるものではない。例えば、上記の実施例では、始動入賞具５０に遊技球が入賞し図柄抽選手段Ｂ７３による当選結果に応じて、入賞装置制御手段Ｂ７７による制御により左大入賞具６０および右大入賞具７０が一斉に開放されたが、図柄抽選手段Ｂ７３による当選毎に、左大入賞具６０の開放と右大入賞具７０の開放とが（左大入賞具６０の開放させる第１の特別遊技と右大入賞具７０を開放させる第２の特別遊技とが）交互に行われるようにしてもよい。すなわち、図１４に示すように（「始」は始動入賞具を表し、「大」は大入賞具を表す。図１５において同じ。）、始動入賞具５０に入賞したときに、まず左大入賞具６０が開放され（斜線で囲まれる方の大入賞具が開放されることを示す。）、次に始動入賞具５０に入賞したときには右大入賞具７０が開放され、その次に始動入賞具５０に入賞したときには左大入賞具６０が開放され、といったように、左大入賞具６０の開放と右大入賞具７０の開放とが繰り返されるように構成してもよい。
【００６０】
以下、左右の大入賞具が入賞毎に交互に開放される場合における遊技の概要について、左右の大入賞具が一斉に開放される場合と相違する部分を中心に図１３のフローチャートを参照しつつ説明する。なお、図１１および図１３の丸囲みＡの部分同士が繋がって１つのフローチャートを構成し、図１１および図１３の丸囲みＢの部分同士が繋がって１つのフローチャートを構成する。
【００６１】
遊技の続行中に始動入賞具に入賞し、図柄抽選手段Ｂ７３により取得されたカウント値が、所定の当選値であると当たり判定手段Ｂ７５により判断された場合には、すなわち、図柄表示装置２８における図柄変動の結果、停止表示される特別図柄が所定の大当たり図柄の場合には、左右の大入賞具が一斉に開放される場合と同様に「大当たり遊技」が発生する。
【００６２】
この場合、入賞装置制御手段Ｂ７７が、前回の大当たり遊技において左右の大入賞具６０，７０のうちのいずれの大入賞具が開放されたかを判断する（ステップＳ３０）。このとき、前回の大当たり遊技において、例えば右大入賞具７０が開放されたものと判断された場合には、左大入賞具６０が開放される。すなわち、この大当たり遊技においては、入賞装置制御手段Ｂ７７からソレノイド駆動信号が左大入賞具開放ソレノイド８１に向けて出力されてこのソレノイド８１が通電され、左開閉扉６１が遊技盤２０に対して所定の角度に前傾した位置まで回動し、左大入賞具６０が開放状態となる（ステップＳ３１）。
【００６３】
このような開放状態では、左開閉扉６１が遊技盤２０上を落下してくる遊技球を受けて、左大入賞具６０内への遊技球の進入が可能となる。このとき、入賞装置４０内では、入賞装置制御手段Ｂ７７から特定領域ソレノイド１２２に向けて制御信号が出力されて特定領域ソレノイド１２２が通電され、シャッタ１２１が左動することによって第２球通路１１２の入口が開放される（ステップＳ３２）。
【００６４】
これ以降は、左右の大入賞具が一斉に開放される実施の形態と同様に、第１球通路１１１への遊技球の通過の検出（ステップＳ３３）、遊技球の通過を検出した場合の賞球の払出し（ステップＳ３４）が行われ、また、このとき、第２球通路１１２への遊技球の通過の検出（ステップＳ３５）、遊技球の通過を検出した場合の賞球の払出し（ステップＳ３６）が行われ、さらに、第２球通路１１２の入口が閉鎖される（ステップＳ３７）。
【００６５】
そして、左大入賞具６０は、開放されてから所定の時間（例えば３０秒間）経過するか、又は球検出センサ１３１により所定の数（例えば１０球）の入賞の検出があるかの判断により（ステップＳ３８）、いずれかの条件を満たした場合に一旦閉鎖する（ステップＳ３９）。そして、左大入賞具６０が開放していた間に、入賞装置４０の内部に設けられた第２球通路１１２（特定領域）への入賞があったと判断された場合には（ステップＳ４０）、左大入賞具６０は上記のように一旦閉鎖した後、再度開放することとなっている。これにより、左大入賞具６０の開放は、所定の回数（例えば１６回）連続することが可能となっている。また、左大入賞具６０が所定の回数（例えば１６回）開放し終えるか（ステップＳ４１）、又は左大入賞具６０の開放中に第２球通路１１２への入賞がなかった場合には、この大当たり遊技は終了する。
【００６６】
上記のような左大入賞具６０が開放される大当たり遊技の終了後、遊技の続行中において再び「大当たり遊技」が発生した場合には、入賞装置制御手段Ｂ７７により、前回の大当たり遊技において左大入賞具６０が開放されたものと判断され、入賞装置制御手段Ｂ７７からソレノイド駆動信号が右大入賞具開放ソレノイド９１に向けて出力されて、右大入賞具７０が開放される（ステップＳ４２）。
【００６７】
右大入賞具７０の開放時においては、左大入賞具６０の開放時におけるステップＳ３２からステップＳ３８までと同様な流れで大当たり遊技が実行される。そして、右大入賞具６０は、開放されてから所定の時間（例えば３０秒間）経過するか、又は所定の数（例えば１０球）の入賞の検出があるかの判断により、いずれかの条件を満たした場合に一旦閉鎖する（ステップＳ４３）。そして、右大入賞具７０が開放していた間に、第２球通路１１２（特定領域）への入賞があったと判断された場合には（ステップＳ４４）、右大入賞具７０は上記のように一旦閉鎖した後、再度開放する。これにより、右大入賞具７０の開放は、所定の回数（例えば１６回）連続することが可能となっている。また、右大入賞具７０が所定の回数（例えば１６回）開放し終えるか（ステップＳ４５）、又は右大入賞具７０の開放中に第２球通路１１２への入賞がなかった場合には、この大当たり遊技は終了する。
【００６８】
このようにして、大当たり遊技の発生毎に左大入賞具６０の開放と右大入賞具７０の開放とが交互に繰り返されるように、入賞装置制御手段Ｂ７７により制御されることが可能になっている。
【００６９】
なお、大入賞具６０，７０の開放は、大当たり遊技の発生毎に左大入賞具６０の開放と右大入賞具７０の開放とを交互に繰り返されるようにするものに限られず、左大入賞具６０を連続して所定の回数だけ開放させた後、右大入賞具７０を所定の回数連続して開放させ、さらに、左大入賞具６０を連続して所定の回数だけ開放させるように制御してもよい。
【００７０】
また、例えば、図１３に示すステップＳ４０において、左大入賞具６０が開放していた間に第２球通路１１２（特定領域）への入賞があったと判断された場合に、図１３に示すような再び左大入賞具６０の開放（ステップＳ３１）をさせる代わりに、右大入賞具７０を開放させるようにしてもよい。すなわち、上記のような大当たり遊技毎に左大入賞具６０および右大入賞具７０を交互に開放させるのではなく、一回の大当たり遊技の中における一つのラウンド毎に、左大入賞具６０および右大入賞具７０を限られた所定回数の分だけ交互に開放させるように構成してもよい。これは、ステップＳ４４において、第２球通路１１２への入賞があったと判断された場合においても同様である。さらに、左大入賞具６０および右大入賞具７０を交互に開放させるだけでなく、左大入賞具６０および右大入賞具７０を一斉に開放させる場合も含めて、これらを組み合わせて構成してもよい。このように本発明においては、一回の大当たり遊技の中だけに限っても、バリエーションに富んだ遊技を企画することができる。
【００７１】
また、上記の実施例では、左大入賞用開口部６２と右大入賞用開口部７２とが左右に同一の長さに形成されることで、左大入賞具６０と右大入賞具７０とが左右に同一の長さに構成されていたが（図１５（ａ）参照）、左大入賞用開口部６２および右大入賞用開口部７２の左右の長さを変えることで、図１５（ｂ）に示すように、右大入賞具の方を左大入賞具よりも左右に長く構成したり、あるいは、図１５（ｃ）に示すように、左大入賞具の方を右大入賞具よりも左右に長く構成したりすることもできる。このように構成すれば、遊技盤を落下する遊技球の落下経路によっては、遊技球を左大入賞具の側により落入し易くなったり、あるいは、右大入賞具の側により落入し易くなったりする。
【００７２】
以上説明したように、本発明に関する弾球遊技機おいては、抽選手段による抽選の当選毎に左右に並設されている大入賞具が交互に開放と閉鎖を繰り返すように構成したり、又は、抽選手段による抽選の当選毎に左右に並設されている大入賞具が同期して開放と閉鎖を行うように構成することも可能なため、このような構成にすることによってバリエーションに富んだ遊技を実行させて、遊技性を高めることができる。
【図面の簡単な説明】
【００７３】
【図１】本発明に係る弾球遊技機の一例として示すパチンコ機の正面図である。
【図２】上記パチンコ機の裏面側を示す背面図である。
【図３】上記パチンコ機に備えられた入賞装置に設けられた開口部を示す正面図である。
【図４】上記入賞装置周辺を示す斜視図である。
【図５】上記入賞装置に設けられた開閉扉周辺を示す平断面図である。
【図６】上記入賞装置を示す平断面図である。
【図７】図５中の矢印Ｃ−Ｃに沿った部分断面図である。
【図８】図５中の矢印Ａ−Ａに沿った部分側断面図である。
【図９】図５中の矢印Ｂ−Ｂに沿った部分側断面図である。
【図１０】上記パチンコ機に設けられている制御システムの概略を表したブロック図である。
【図１１】上記パチンコ機における遊技の概要を示すフローチャートである。
【図１２】上記パチンコ機における遊技の概要を示すフローチャートである。
【図１３】上記パチンコ機における遊技の概要を示すフローチャートである。
【図１４】上記入賞装置の一実施形態を概念的に示す図である。
【図１５】上記入賞装置の一実施形態を概念的に示す図である。
【符号の説明】
【００７４】
ＰＭ  パチンコ機（弾球遊技機）
１    外枠
２    前枠
２０  遊技盤
２５  一般入賞具
２８  図柄表示装置
４０  入賞装置
５０  始動入賞具（通常入賞具）
５１  受容部材
５２  始動入賞用開口（通常入賞用開口）
６０  左大入賞具（第１の特別入賞具）
６１  左開閉扉（第１の開閉部材）
６２  左大入賞用開口（特別入賞用開口）
７０  右大入賞具（第２の特別入賞具）
７１  右開閉扉（第２の開閉部材）
７２  右大入賞用開口（特別入賞用開口）
１３１  球検出センサ（特別入賞用検出手段）
１３３  球検出センサ（特別入賞用検出手段）
１３５  始動入賞センサ（通常入賞用検出手段）
Ｂ７３  図柄抽選手段（抽選手段）
Ｂ７７  入賞装置制御手段
【図１】
2006075187.tif 000003
【図２】
2006075187.tif 000004
【図３】
2006075187.tif 000005
【図４】
2006075187.tif 000006
【図５】
2006075187.tif 000007
【図６】
2006075187.tif 000008
【図７】
2006075187.tif 000009
【図８】
2006075187.tif 000010
【図９】
2006075187.tif 000011
【図１０】
2006075187.tif 000012
【図１１】
2006075187.tif 000013
【図１２】
2006075187.tif 000014
【図１３】
2006075187.tif 000015
【図１４】
2006075187.tif 000016
【図１５】
2006075187.tif 000017